(57)【要約】【課題】  エレベータのかごの照明板４の一側が下側から押し上げられて傾斜して照明板４が落下することのない照明板固定装置及びその固定方法を提供する。【解決手段】  目地５の左右両方向へ向けて延びる両押え腕３１とこの両押え腕３１を連結する連結腕３２が一体に形成されて遥動自在に目地５に軸支された押え具３０を備え、一方の押え腕３１は一方の照明板４の側面２１の開口２２に挿入されて一方の照明板４の上下動を抑止し、他方の押え腕３１は目地５を介して隣接する他方の照明板４の上位で水平方向へ延びて他方の照明板４の上下動を抑止すると共に先端部が下側へ屈曲してフック３１ａが形成され、このフック３１ａが他方の照明板４の水平移動を抑止し、連結腕３２は他方の照明板４の側面２１に当接して押え具３０の揺動を抑止して、両押え腕３１と両照明板４との係合を維持させて照明板４が所定位置から脱落するのを阻止するようにしたものである。【選択図】        図１
2005231798.tif 000002
【特許請求の範囲】
【請求項１】
エレベータのかご室の天井に取り付けられた光源を下側から覆って配光する複数の照明板の相互間に、上記照明板の周縁部を受け支えする支持部を突設させた目地を介在させて上記照明板を固定するようにしたエレベータのかごの照明板固定装置において、上記照明板は上記周縁部が箱曲げ加工されて側面が形成され、更に側面の開口側端部が内側へ屈曲されて縁取り加工されると共に、一側の上記周縁部の上記側面には開口が形成され、他側の上記周縁部の上記縁取り部には開口が形成されたものとし、上記目地の左右方向へ向けて延びる両押え腕とこの両押え腕を連結する連結腕が一体に形成されて遥動自在に上記目地に軸支された押え具を備え、一方の上記押え腕は一方の上記照明板の上記側面の上記開口に挿入されて一方の上記照明板の上下動を抑止し、他方の上記押え腕は上記目地を介して隣接する他方の上記照明板の上記縁取り部の上位で水平方向へ延びて他方の上記照明板の上下動を抑止すると共に先端部が下側へ屈曲されてフックが形成され、このフックが他方の上記縁取り部の上記開口に挿入されて他方の上記照明板の水平移動を抑止し、上記連結腕は他方の上記照明板の側面に当接して上記押え具の上記揺動を抑止して、上記両押え腕と上記両照明板との係合を維持させるようにしたエレベータのかごの照明板固定装置。
【請求項２】
エレベータのかご室の天井に取り付けられた光源を下側から覆って配光する複数の照明板の相互間に、上記照明板の周縁部を受け支えする支持部を突設させた目地を介在させて上記照明板を固定するようにしたエレベータのかごの照明板固定装置において、上記照明板は上記周縁部が箱曲げ加工されて側面が形成されたものとし、上記目地を介して一方の上記照明板の上記側面に対向する部位から上記周縁部の上位まで立ち上がった脚部と、この脚部の上端から上記照明板の内側方向へ屈曲して水平に延びるフックとからなる一方の押え腕と、上記目地を介して隣接する他方の上記照明板の上記側面に対向する部位から上記周縁部の上位まで立ち上がった脚部と、この脚部の上端から他方の上記照明板の内側方向へ屈曲して水平に延びるフックとからなる他方の押え腕と、上記両押え腕を連結して上記目地に遥動自在に係止させた軸とからなる押え具とを備え、上記両脚部をそれぞれの上記照明板の側面に当接させて水平移動を抑止し、上記両フックをそれぞれの上記照明板の上記周縁部の上端部に当接させて上下動を抑止するようにしたエレベータのかごの照明板固定装置。
【請求項３】
一方の押え腕を遥動させて目地側へ近接させる遥動工程と、この遥動工程によって一方の上記押え腕を上記目地側へ近接させた状態で一方の照明板を上記目地の支持部に載置する第１の載置工程と、上記目地を介して隣接する他方の照明板の縁取り部の開口に他方の押え腕の先端部のフックを挿入する挿入工程と、この挿入工程によって上記フックを上記縁取り部の上記開口に挿入した状態で、他方の上記押え腕と他方の上記照明板とを共に逆方向へ遥動させ、この逆遥動に伴って連結腕を介して一体に形成された一方の押え腕を一方の上記照明板の側面の開口に挿入する逆遥動工程とからなる請求項１に記載のエレベータのかごの照明板固定装置を用いた照明板の固定方法。
【請求項４】
一方の押え腕を遥動させてフックを目地側へ近接させる遥動工程と、この遥動工程によって上記フックを上記目地側へ近接させた状態で一方の照明板を上記目地の支持部に載置する第１の載置工程と、一方の上記押え腕を逆方向へ遥動させて上記フックを一方の上記照明板の上記周縁部の上位に移動させる逆遥動工程と、この逆遥動工程によって他方の押え腕のフックと上記目地に突設された上記支持部との間に形成された空隙に上記目地を介して隣接する他方の照明板の周縁部を遊挿して他の上記支持部に載置する第２の載置工程とからなる請求項２に記載のエレベータのかごの照明板固定装置を用いた照明板の固定方法。
【発明の詳細な説明】
【技術分野】
【０００１】
この発明は、エレベータのかご室の天井に取り付けられた光源を下側から覆って配光する照明板の固定装置及び固定方法に係るものである。
【背景技術】
【０００２】
図１０から図１２は、従来のエレベータのかごの照明板固定装置及び固定方法を示す。図１０は、かご室内で仰視したかご天井部の平面図である。図１１は図１０のＩＸ−ＩＸ線断面を矢視した図である。両図において、エレベータのかご室１の天井２には、光源３が取り付けられている。この光源３を下側から覆って配光する複数の照明板４が配置されている。照明板４の相互間には目地５が縦横に架設されている。かご室１の側壁に接近した部位には天井２から側板６が垂設されている。図１２に示したとおり、目地５には水平方向へ向けて支持部１１が突設されている。一方の目地５には、支持部１１から所定寸法上位に、板材を曲げた押え具１２が目地５に鋲着されている。隣接する他方の目地５の対向部には、スポンジ等の緩衝材からなる押え具１３が取り付けられている。
側板６にも同様に支持部６ｂが水平方向へ突設されている。また、側板６には弾性体１５を介して板ばねからなる押え具１４が取り付けられている。押え具１４の上端部にはピン１４ａが水平方向へ植設されている。
【０００３】
目地５と目地５の間に照明板４を取り付けるには、図１２（ａ）に符号４´で示したとおり、照明板４を傾斜させて一旦支持部１１の上位まで上げる。次に、照明板４の一方の端部を押え具１２と目地５の支持部１１との間に挿入した状態で他方の端部を押し下げる。途中で押え具１３と干渉するが、押え具１３は変形するので、照明板４を押し下げて、図１２（ｂ）に示すとおり、定位置に納めることができる。
目地５と側板６の間に照明板４を取り付ける場合も同様であって、押え具１４を側板６側へ押した状態で照明板４を押し下げて図１２（ｂ）に示すとおり、定位置に納める。
【０００４】
定位置に納められた照明板４を取り外すには、押え具１３側の照明板４の端部を下から押し上げる。押え具１３は変形するので、図１２（ｃ）に示すとおり、照明板４は符号４″で示したように傾斜して目地５から外れ、取り外すことができる。
【０００５】
また、他の従来例として、照明板を支える目地である枠体に、照明板を保持する保持片の下縁部を固定して立設し、上端部を照明板側へ屈曲させて保持部を形成したものがある（例えば、特許文献１参照）。このものにあっては、照明板は保持部に規制されて上方への移動が制限される。従って、照明板が浮き上がって不時に落下するのを防止することができる。また、照明板を取り外すときは、保持片を反照明板側へ押し曲げて照明板と保持部との係合を解くことにより、照明板を保持部よりも更に上位まで押し上げて傾斜させて取り外す。
【０００６】
【特許文献１】特開平５−１１６８７２号公報（段落番号８、９、図１、図２）
【発明の開示】
【発明が解決しようとする課題】
【０００７】
従来のエレベータのかごの照明板固定装置は、上記のとおり構成されており、例えば、図１０から図１２に示すものにあっては、図１２（ｃ）に示したとおり、悪戯で傘の柄等で突き上げると、押え具１３はスポンジ等の緩衝材でできているので、照明板４が押え具１３を押し抜けて上方へ移動して目地５から外れ、符号４″で示したとおり、落下することもある、という問題があった。
また、特許文献１に記載の照明装置は、保持片を反照明板側へ押し曲げて照明板と保持部との係合を解くことにより、照明板を取り外すようにしたものである。従って、照明板は外部から保持片を操作することができる程度に高く押し上げることができるようになっている。しかも、この押上げは、単に下から押すだけであるから、不特定多数者によって容易に押し上げられて照明板で仕切られた天井部分の空間が目視されることとなる。このため、意匠上好ましくない、という問題もあった。
【０００８】
この発明は、上記問題点を解決するためになされたものであり、照明板の一側が下側から押し上げられて傾斜して照明板が落下することのないエレベータのかごの照明板固定装置を得る。
また、下側からの押上げによって照明板が押し上げられて、照明板上の内部空間が外部から目視されることのないエレベータのかごの照明板固定装置を得る。
【課題を解決するための手段】
【０００９】
この発明に係る請求項１に記載のエレベータのかごの照明板固定装置は、目地の左右両方向へ向けて延びる両押え腕とこの両押え腕を連結する連結腕が一体に形成されて遥動自在に目地に軸支された押え具を備え、一方の押え腕は一方の照明板の側面の開口に挿入されて一方の照明板の上下動を抑止し、他方の押え腕は目地を介して隣接する他方の照明板の上位で水平方向へ延びて他方の照明板の上下動を抑止すると共に先端部が下側へ屈曲してフックが形成され、このフックが他方の照明板の水平移動を抑止し、連結腕は他方の照明板の側面に当接して押え具の揺動を抑止して、両押え腕と両照明板との係合を維持させて照明板が所定位置から脱落するのを阻止するようにしたものである。
【００１０】
また、請求項２に記載のエレベータのかごの照明板固定装置は、目地を介して一方の照明板の側面に対向する部位から周縁部の上位まで立ち上がった脚部と、この脚部の上端から照明板の内側方向へ屈曲して水平に延びるフックとからなる一方の押え腕と、目地を介して隣接する他方の照明板の側面に対向する部位から周縁部の上位まで立ち上がった脚部と、この脚部の上端から他方の照明板の内側方向へ屈曲して水平に延びるフックとからなる他方の押え腕と、両押え腕を連結して目地に遥動自在に係止された軸とからなる押え具を備え、両脚部をそれぞれの照明板の側面に当接させて照明板の水平移動を抑止すると共に、両フックをそれぞれの照明板の周縁部の上端部に当接させて上下動を抑止するようにしたものである。
【００１１】
更に、請求項３に記載の照明板の固定方法は、請求項１に記載のエレベータのかごの照明板固定装置を用いた固定方法であって、一方の押え腕を目地側へ近接させた状態で一方の照明板を目地の支持部に載置した後、目地を介して隣接する他方の照明板に他方の押え腕の先端部のフックを挿入した状態で、他方の押え腕と他方の照明板とを共に逆方向へ遥動させ、この逆遥動に伴って連結腕を介して一体に形成された一方の押え腕を一方の照明板の開口に挿入して照明板を両押え腕で固定するようにしたものである。
【００１２】
更にまた、請求項４に記載の照明板の固定方法は、請求項２に記載のエレベータのかごの照明板固定装置を用いた固定方法であって、一方の押え腕を遥動させてフックを目地側へ近接させた状態で一方の照明板を目地の支持部に載置した後、一方の押え腕を逆方向へ遥動させてフックを一方の照明板の上位に移動させ、この逆遥動によって他方の押え腕のフックと目地に突設された支持部との間に形成された空隙に目地を介して隣接する他方の照明板を遊挿して他の支持部に載置して照明板を両押え腕で固定するようにしたものである。
【発明の効果】
【００１３】
この発明は上記のとおり構成されているので、以下の効果を奏する。
この発明に係る請求項１に記載のエレベータのかごの照明板固定装置又は請求項３に記載の固定方法によれば、押え具を構成する一方の押え腕を、一方の照明板の側面の開口に挿入して一方の照明板の上下動を抑止し、他方の押え腕を目地を介して隣接する他方の照明板の上位で水平方向へ延設して他方の照明板の上下動を抑止すると共に先端部に形成されたフックで他方の照明板の水平移動を抑止し、連結腕で両押え腕の揺動を抑止するようにしたので、両押え腕と両照明板との係合状態が維持されて照明板は所定位置に保持され、下側から押し上げられたとしても脱落しない、という効果を奏する。
また、一方の押え腕と一方の照明板の側面開口との余裕隙間、及び他方の押え腕と他方の照明板との余裕隙間を僅少にすることによって、各照明板の移動範囲を狭めることができるので、下側からの押上げによって照明板が押し上げられたとしても照明板の上位の内部空間が外部から目視されることはなく、かご室内の美観が損なわれることはない、という効果も奏する。
【００１４】
この発明に係る請求項２に記載のエレベータのかごの照明板固定装置又は請求項４に記載の固定方法によれば、照明板の側面に対向する部位から照明板の上位まで立ち上がった脚部と、この脚部の上端から照明板の内側方向へ屈曲して水平に延びるフックとからなる一対の押え腕で、目地を介して隣接する両照明板の上下動と水平移動を抑止するようにしたので、同様に照明板は所定位置に保持され、下側から押し上げられたとしても脱落しない、という効果を奏すると共に、かご室内の美観が損なわれることはない、という効果も併せて奏する。
特に、照明板の側面に脚部を対向させ、また、照明板の上位にフックを対向させたので、照明板に開口を形成する必要がない、という効果も奏する。
【発明を実施するための最良の形態】
【００１５】
以下、図面を参照して、この発明の実施の形態について説明する。なお、各図中、同一又は相当する部分には同一符号を付し、説明の重複を省いた。
実施の形態１．
図１から図７は、この発明の実施の形態１を示す。
図１は、かご天井の要部を示す断面図で、図１０のＩＸ−ＩＸ相当部分の断面図である。なお、図では、符号に添数−１、−２等を付して同一名称の構成要素を更に区別したが、以下の説明では、必要な場合のみ添数を付することとし、総称する場合は添数を省略した。また、左右を区別するために、符号の末尾をＲ又はＬとした。必要な場合のみＲ又はＬを付することとし、総称する場合はＲ及びＬを省略した。
【００１６】
図１において、エレベータのかご室の天井に取り付けられた光源を下側から覆って配光する複数の照明板４の相互間には目地５が架設されている。この目地５には長手方向の左右に向けて支持部１１が突設されていて、左右の照明板４の周縁部が載置されている。
照明板４は、図２及び図３に明示したとおり、周縁部が箱曲げ加工されて周囲に側面２１が形成され、更に側面２１の開口側端部が内側へ屈曲されて縁取り部２３が形成されている。右側側面２１Ｒには開口２２が形成され、右側縁取り部２３Ｒには開口２４が形成されている。左側の周縁部の縁取り部２３Ｌには開口２５が形成されている。
上記目地５は、図４に明示したとおり、断面が逆Ｔ字形に形成されており、下端部には長手方向の左側へ向けて延びる左側支持部１１Ｌと、右側へ向けて延びる右側支持部１１Ｒが突設されている。支持部１１の中央部からは本体部５ａが立設されており、途中の２箇所に軸受５ｂ、５ｃが設けられている。また、本体部５ａには要所に欠切部５ｄが形成されている。
【００１７】
目地５の欠切部５ｄには、図４及び図５に明示したとおり、押え具３０が軸３３を軸受５ｂに係合されて遥動自在に軸支されている。押え具３０は目地５の左方向へ向けて延びる左側押え腕３１Ｌと、右方向へ向けて延びる右側押え腕３１Ｒと、この両押え腕３１Ｌ、３１Ｒを連結する連結腕３２が一体に形成されて軸３３に取り付けられて遥動自在に軸支されている。
また、図６に示したとおり、左側押え腕３１Ｌの先端部は上側へ屈曲されてフック３１ａＬが形成されている。このフック３１ａＬは開口２２を挿通され、更に左側押え腕３１Ｌの遥動によって開口２４を貫通して先端が照明板４の右側縁取り部２３Ｒ上に突出している。
【００１８】
更に、右側押え腕３１Ｒは目地を介して隣接する他方の照明板４の左側縁取り部２３Ｌの上位で水平方向へ延びて他方の照明板４の上下動を抑止すると共に先端部が下側へ屈曲されてフック３１ａＲが形成され、このフック３１ａＲが他方の照明板４の左側縁取り部２３Ｌの開口２５を貫通して他方の照明板４の水平移動を抑止している。
更にまた、連結腕３２は他方の照明板４の左側側面に当接して押え具３０の揺動を抑止しており、この遥動抑止により両押え腕３１Ｌ、３１Ｒと目地５の左右の照明板４との係合が維持される。
【００１９】
次に、図１において、かご室の左右の側壁に近接して、それぞれ側板６が垂設されており、この側板６にも同様に支持部６ｂが水平方向へ突設されていて、左端の照明板４−１の周縁部、及び右端の照明板４−３の周縁部がそれぞれ載置されている。また、側板６には弾性体１５を介して板ばねからなる押え具１４が取り付けられている。押え具１４の上端部には、照明板４−１、４−３の周縁部よりも上位でピン１４ａが水平方向へ植設されていて、照明板４−１、４−３の上下動を抑止するようになっている。
【００２０】
次に、図７に基づいてエレベータのかごの照明板４の固定方法について述べる。
１．照明板４−１の固定
図７（ａ）に示したとおり、押え具３０−１を遥動させて押え腕３１Ｌを目地５−１側へ近接させる。次に、符号４´−１で示したとおり、照明板４を傾斜させて一旦支持部１１の上位まで上げる。次に、照明板４−１の左側の周縁部をピン１４ａと側板６の支持部６ｂとの間に挿入すると共に、押え具３０−１を反時計方向へ遥動させて左側押え腕３１Ｌを下げた後、照明板４−１の右側の周縁部を目地５−１の支持部１１Ｌに載置する。
【００２１】
２．照明板４−２の固定
図７（ｂ）に示したとおり、照明板４−１を載置した後、照明板４−２の載置作業を行う。押え具３０−２を反時計方向へ遥動させて左側押え腕３１Ｌを下げて目地側５−２へ近接させる。照明板４−２の左側縁取り部２３Ｌの開口２５に押え腕３１Ｒの先端部のフック３１ａＲを挿入する。フック３１ａＲを左側縁取り部２３Ｌの開口２５に挿入した状態で、右側押え腕３１Ｒと照明板４−２を共に時計方向へ遥動させる。この遥動に伴って連結腕３２を介して一体に形成された左側押え腕３１Ｌを照明板４−１の右側側面２１Ｒの開口２２に挿入させ、更にフック３１ａＬを開口２４に挿入させながら照明板４−２の右側の周縁部を目地５−２の支持部１１Ｌに載置する。
【００２２】
３．照明板４−３の固定
図７（ｃ）に示したとおり、照明板４−２を載置した後、照明板４−３の載置作業を行う。鍵穴６ａに鍵３５を挿入して押え具１４を側板６側へ引き、弾性体１５を圧縮して照明板４−３のためのスペースを確保する。以下、上記照明板４−２の固定と同様にして、照明板４−３の左側を載置した後、照明板４−３の右側の周縁部を側板６の支持部６ｂに載置する。載置したならば、鍵３５を外して図７（ｄ）に示したとおり、押え具１４を直立させる。押え具１４の直立により、照明板４−３は矢印方向へ押圧される。この押圧によって押え具３０−２の当接部３２ａが左側側面２１Ｌによって押されて時計方向へ遥動し、照明板４−３との係合を緊密化させる。
【００２３】
上記のとおり、実施の形態１におけるエレベータのかごの照明板固定装置によれば、照明板４は、押え具１４及び押え具３０によって移動を規制されて固定されるので、その移動可能な範囲は限られる。また、照明板４は、図１において、左側から順に取り付けていき、取り外すときは、逆に右側から順に行うようにしたので、中間の照明板４−２のみを取り外すことはできない。また、両端の照明板４−１、４−３は鍵３５を使用して着脱するようにしたので、単なる突上げでは照明板４は外れない。従って、不特定者による悪戯で照明板４が外されることはない。
【００２４】
即ち、図１に示したとおり、開口２２の下辺と左側押え腕３１Ｌの下面との隙間をδｖｒとすると、照明板４−１、４−２の右側周縁部の上下移動は隙間δｖｒとなる。このため、仮に傘１６の先端で照明板４−１、４−２の右側周縁部を突き上げたとしても、隙間δｖｒだけ上昇して押え具３０−１、３０−２によって抑止されるので、照明板４−１、４−２が落下することはない。また、照明板４−３の右側周縁部とピン１４ａとの隙間はδｖｒｏであり、同様に落下することはない。隙間δｖｒ、δｖｒｏは照明板４の側面２１の高さよりも小さい値であり、下側からの突上げによって照明板４が押し上げられたとしても照明板４の上位の内部空間が外部から目視されることはなく、かご室内の美観が損なわれることはない。
【００２５】
左側縁取り部２３Ｌの上面と右側押え腕３１Ｒの下面との隙間をδｖｌとすると、照明板４−２、４−３の左側周縁部の上下方向の移動は隙間δｖｌとなる。このため、仮に傘１６´の先端で照明板４−２、４−３の左側周縁部を突き上げたとしても、隙間δｖｌだけ上昇して押え具３０−１、３０−２によって抑止されるので、照明板４−２、４−３が落下することはない。また、照明板４−１の左側周縁部とピン１４ａとの隙間はδｖｒｏであり、同様に落下することはない。隙間δｖｌ、δｖｒｏも同様に照明板４の側面２１の高さよりも小さい値であり、下側からの突上げによって照明板４が押し上げられたとしても照明板４の上位の内部空間が外部から目視されることはなく、かご室内の美観が損なわれることはない。
【００２６】
また、水平方向の移動は、フック３１ａＲ、３１ａＬ、当接部３２ａ及び押え具１４によって、それぞれ制限される。フック３１ａＲについては開口２５との隙間をδｈとすると、照明板４−２、４−３の水平移動は隙間δｈとなる。その移動は、支持部１１との重なりδｈｏよりも小さいので、外れて落下することはない。照明板４−１は、フック３１ａＬ及びピン１４によって制限され、同様に落下することはない。
なお、フック３１ａＲとフック３１ａＬは、いずれか一方であってもよい。
【００２７】
実施の形態２．
図８及び図９は、実施の形態２を示す。この実施の形態２では、押え具４０をハット溝形にしたものである。
図８において、照明板４は周縁部が箱曲げ加工されて側面２１が形成され、更に縁取り加工されたものとする。押え具４０は、目地５を介して一方の照明板４の右側側面２１Ｒに対向する部位から周縁部の上位まで立ち上がった左側脚部４１Ｌと、この左側脚部４１Ｌの上端から照明板４の内側方向へ屈曲して水平に延びるフック４１ａＬとからなる左側押え腕４２Ｌと、目地５を介して隣接する他方の照明板４の左側側面２１Ｌに対向する部位から周縁部の上位まで立ち上がった右側脚部４１Ｒと、この右側脚部４１Ｒの上端から照明板４の内側方向へ屈曲して水平に延びるフック４１ａＲとからなる右側押え腕４２Ｒと、両押え腕４２Ｌ、４２Ｒを連結する連結腕４３と、この連結腕４３を遥動自在に目地４に係止する軸４４とからなる。
両脚部４１Ｌ、４１Ｒを、それぞれ対向する照明板４の側面２１Ｒ、２１Ｌに当接させて水平移動を抑止する。また、両フック４１ａＬ、４１ａＲを、それぞれ対向する照明板４の周縁部の上端部に当接させて上下動を抑止するようにしたものである。
【００２８】
次に、図９に基づいてエレベータのかごの照明板４の固定方法について述べる。
１．照明板４−１の固定
図９（ａ）に示したとおり、照明板４−１の左側の周縁部をピン１４ａと側板６の支持部６ｂとの間に挿入すると共に、押え具４０−１を時計方向へ遥動させて左側脚部４１Ｌを上げた後、照明板４−１の右側の周縁部を徐々に下げて目地５−１の支持部１１Ｌに載置する。照明板４−１を載置し終ると押え具４０−１を反時計方向へ遥動させてフック４１ａＬを照明板４−１の周縁部上に配置する。
【００２９】
２．照明板４−２の固定
図９（ｂ）に示したとおり、照明板４−１を載置し終ると、次に照明板４−２の載置を行う。押え具４０−２を時計方向へ遥動させて左側脚部４１Ｌを上げて目地側５−２へ近接させる。照明板４−２の左側縁取り部２３Ｌを右側脚部４１Ｒの先端部のフック４１ａＲと支持部１１Ｒの間に挿入する。照明板４−２の右側の周縁部を徐々に下げて目地５−２の支持部１１Ｌに載置する。照明板４−２を載置し終ると押え具４０−２を反時計方向へ遥動させてフック４１ａＬを照明板４−２の周縁部上に配置する。
【００３０】
３．照明板４−３の固定
図９（ｃ）に示したとおり、照明板４−２を載置し終ると、照明板４−３の載置を行う。鍵穴６ａに鍵３５を挿入して押え具１４を側板６側へ引き、弾性体１５を圧縮して照明板４−３のためのスペースを確保する。以下、上記照明板４−２の固定と同様にして、照明板４−３を載置する。載置したならば、鍵３５を外して押え具１４を直立させる。押え具１４の直立により、照明板４−３は押え具４０−２とも係合を緊密化させて最終的に固定される。
【００３１】
上記実施の形態２によっても、照明板４は押え具４０によって上下方向及び水平方向の移動が制限されるので、下側から突き上げられたとしても、照明板４が落下することはない。また、下側からの突上げによって照明板４が押し上げられたとしても照明板４の上位の内部空間が外部から目視されることはなく、かご室内の美観が損なわれることはない。
特に、照明板４の側面に脚部４１を対向させ、また、照明板４の上位にフック４１ａを対向させたので、図６に示した開口２４、２５は不要であり、照明板４の制作が容易である。
【図面の簡単な説明】
【００３２】
【図１】この発明の実施の形態１におけるエレベータのかごの照明板固定装置の全体を示す縦断面図。
【図２】この発明の実施の形態１における照明板の斜視図。
【図３】この発明の実施の形態１における照明板の斜視図。
【図４】この発明の実施の形態１における目地の斜視図。
【図５】この発明の実施の形態１における目地と押え具の組立てを示す斜視図。
【図６】この発明の実施の形態１における押え具と照明板を示す斜視図。
【図７】この発明の実施の形態１における照明板の設置工程を示す説明用図。
【図８】この発明の実施の形態２における押え具と照明板を示す斜視図。
【図９】この発明の実施の形態２における照明板の設置工程を示す説明用図。
【図１０】従来のエレベータのかごの照明板固定装置の全体構成を示すブロック図。
【図１１】図１０のＩＸ−ＩＸ線断面を矢視した断面図。
【図１２】従来のエレベータのかごの照明板固定装置の設置工程を示す説明用図。
【符号の説明】
【００３３】
１  かご室、  ２  天井、  ３  光源、  ４  照明板、  ５  目地、  ６  側板、  ６ａ  鍵穴、  １１  支持部、  １２  押え具、  １４  押え具、  １５  弾性体、  ２１  側面、  ２２  開口、  ２３  縁取り部、  ２４  開口、  ２５  開口、  ３０  押え具、  ３１  押え腕、  ３１ａ  フック、  ３２  連結腕、  ３２ａ  当接部、  ３３  軸、  ４０  押え具、  ４１  脚部、  ４１ａ  フック、  ４２  押え腕、  ４３  連結腕、  ４４  軸。
【図１】
2005231798.tif 000003
【図２】
2005231798.tif 000004
【図３】
2005231798.tif 000005
【図４】
2005231798.tif 000006
【図５】
2005231798.tif 000007
【図６】
2005231798.tif 000008
【図７】
2005231798.tif 000009
【図８】
2005231798.tif 000010
【図９】
2005231798.tif 000011
【図１０】
2005231798.tif 000012
【図１１】
2005231798.tif 000013
【図１２】
2005231798.tif 000014